(57)【要約】【課題】本発明は、例えばオートバイ、自動車、船舶、航空機等の移動体に搭載される指針式計器に関し、透光部材を有効活用し、計測値表示部の照明意匠に立体感を持たせることが可能な指針式計器を提供する。【解決手段】計測量に応じて動作する指針４と、この指針４に対応した数字部５１ａ，目盛部５１ｂからなる計測値表示部５１を有する表示板５と、この表示板５の前方側に配置され目盛部５１ｂ透光部材６と、表示板５の背後に配置される光源９とを備えており、目盛部５１ｂは光源９の光を前方側に透過する光透過性に形成し、透光部材６に目盛部５１ｂを透過した光を受けて発光する凹部６４を設けた。【選択図】　図２
2004061326.tif 000002
【特許請求の範囲】
【請求項１】
計測量に応じて動作する指針と、
この指針に対応した計測値表示部を有する表示板と、
この表示板の前方側に配置され前記計測値表示部を覆う透光部材と、
前記表示板の背後に配置される光源とを備え、
前記計測値表示部は前記光源の光を前方側に透過する光透過性に形成され、
前記透光部材には前記計測値表示部を透過した光を受けて発光する凹部が形成されることを特徴とする指針式計器。
【請求項２】
前記凹部の底部に拡散処理部を設けたことを特徴とする請求項１記載の指針式計器。
【請求項３】
前記凹部が前記計測値表示部に対応した形状に設けられることを特徴とする請求項１または請求項２記載の指針式計器。
【発明の詳細な説明】
【０００１】
【発明の属する技術分野】
本発明は、例えばオートバイ、自動車、船舶、航空機等の移動体に搭載される指針式計器に関する。
【０００２】
【従来の技術】
例えば自動車に搭載される指針式計器として、計測量に応じて回転動作する指針と、この指針に対応した目盛部や文字等の計測値表示部を有する表示板とでなり、指針が計測値表示部を指し示すことにより、計測値を表示する指針式計器が知られており、この場合、計測値表示部は指針動作に応じて円弧状に配列される。
【０００３】
この種の指針式計器にあっては、例えば特開２００２−５６８９７号公報に示されているように、表示板上の計測値表示部を覆う円弧状の透光部材を設けると共に、表示板の背後に計測値表示部を透過照明する光源を配置し、この光源からの光を受けて発光する計測値表示部を透光部材を通じて視認させることにより、照明時の見栄えを工夫したものが知られている。
【０００４】
【発明が解決しようとする課題】
しかしながら、前記公報開示のものは、透過光により発光する計測値表示部の発光像が透光部材を通じて透視されるだけであるため、計測値表示部の照明意匠が平面的とならざるを得ず、この点で改良の余地が残されていた。
【０００５】
本発明は、この点に鑑みてなされたもので、その主な目的は、透光部材を有効活用し、計測値表示部の照明意匠に立体感を持たせることが可能な指針式計器を提供するものである。
【０００６】
【課題を解決するための手段】
本発明は前記目的を達成するため、計測量に応じて動作する指針と、この指針に対応した計測値表示部を有する表示板と、この表示板の前方側に配置され前記計測値表示部を覆う透光部材と、前記表示板の背後に配置される光源とを備え、前記計測値表示部は前記光源の光を前方側に透過する光透過性に形成され、前記透光部材には前記計測値表示部を透過した光を受けて発光する凹部が形成されることを特徴とする。
【０００７】
また本発明は、前記凹部の底面に拡散処理部を設けたことを特徴とする。
【０００８】
また本発明は、前記凹部が前記計測値表示部に対応した形状に設けられることを特徴とする。
【０００９】
【発明の実施の形態】
図１から図３は本発明の第１実施形態を示すもので、以下、これら図面に基づいて本発明の第１実施形態を例えば自動車に搭載される指針式計器に適用した場合について説明する。なお、図１は本発明の第１実施形態による指針式計器の正面図、図２は図１のＡ−Ａ断面図、図３は図１のＢ−Ｂ断面図である。
【００１０】
図１，図２において、本実施形態による指針式計器は、回路基板１と、この回路基板１に導通装着され回転軸２が前方に延びる駆動装置３と、回転軸２にて回転駆動される指針４と、この指針４の背後に位置して回路基板１上に配置される表示板５と、この表示板５の前方側に配置される透光部材６と、指針４や表示板５、透光部材６の所要部を露出させるための見返し板７と、指針４を照明する指針用の光源８と、表示板５を照明する表示板用の光源９と、表示板５と回路基板１との間に配置される枠体１０とから構成される。
【００１１】
回路基板１は、例えばガラスエポキシ系基材に配線パターン（図示せず）を施した硬質回路基板からなり、光源８，９と、例えば駆動装置３の駆動・制御を行う駆動手段（図示せず）や例えば抵抗、コンデンサ等の各種回路部品（図示せず）が前記配線パターンに導通接続されている。
【００１２】
駆動装置３は、可動磁石式計器またはステッピングモータからなり、回転軸２が回路基板１を貫通するように、その主要部が回路基板１の背後に装着され、且つ半田付け等の適宜導通手段により前記配線パターン（前記駆動手段）に電気接続される。
【００１３】
指針４は、透光性の合成樹脂からなり、回転軸２の先端に連結され、その回転中心部には遮光性カバーが装着されている。そして、この指針４は光源８からの光を受けて発光する発光式指針である。
【００１４】
表示板５は、指針４の回転動作軌道に沿った円弧状の配列形状を有し指針４の指示部４１の指示対象となる数字（文字）部５１ａ及び目盛部５１ｂからなる計測値表示部５１と、この計測値表示部５１の背景を形成する背景部５２とを有している。
【００１５】
これら計測値表示部５１と背景部５２は、図３に示すように、計測値表示部５１が白色系の透光性インクにより、背景部５２が例えば黒色系の遮光性インクにより、それぞれ表示板５の母材となる透光性の基材５３の前面側に印刷形成されている。また基材５３の背面側には反射層５４が印刷形成され、この反射層５４は、光反射率の高い白色系インクによって、背景部５２を構成する黒色系の遮光性インクと同様、計測値表示部５１の対応範囲を除く基材５３領域に一様に形成されている。
【００１６】
またこれら計測値表示部５１，背景部５２，反射層５４を形成する各印刷層はスクリーン印刷等の手段を用いて印刷形成されるが、計測値表示部５１，背景部５２は基材５３の背面に形成することもできるし、反射層５４は基材５３の前面で背景部５３の背後に形成することもできる。
【００１７】
また計測値表示部５１は、指針４と組み合わされて計測表示対象に応じた指針式表示部Ｄを構成し、この指針式表示部Ｄは、本実施形態の場合、速度計からなる指針式表示部Ｄのみが示されているが、この他に例えば回転計、燃料計、水温計、電圧計等からなる指針式表示部を組み込んでコンビネーションメータとしてもよく、この際、各指針式表示部Ｄ毎に透光部材６を設けてもよい。
【００１８】
透光部材６は、例えば無色透明なアクリル樹脂からなり、指針４の作動範囲を取り巻くと共に計測値表示部５１の配列形状に沿った円弧状もしくはリング状に形成され、図３に示すように表示板５と見返し板７との間に位置する基部６１と、この基部６１から指針４側に連続形成され見返し板７から露出する露出部６２とを有している。この際、露出部６２は表示板５の前方側であって、計測値表示部５１のうち目盛部５１ｂを覆うように配置されている。
【００１９】
また露出部６２は、傾斜面６３と目盛部５１ｂに対応した形状の凹部６４とを有し、傾斜面６３は、見返し板７から離れるに従って表示板５側に傾くように、露出部６２の前方側外壁面に形成され、凹部６４は、その全体形状が目盛部５１ｂの形状に対応しており、目盛部５１ｂとは所定間隔を空けて対向する底部６５と、この底部６５に連なる側壁部６６とを有し、この側壁部は目盛部５１ｂに向けて末広がり形状に傾斜している。
【００２０】
見返し板７は、透光部材６の露出部６２とこれに囲まれた指針４や計測値表示部５１の数字５１ａを露出し、それ以外の所要領域を隠蔽するもので、透光部材６の基部６１に対応する箇所に開口部７１を備えている。
【００２１】
光源８は、例えば赤色光を発するチップ型発光ダイオードからなり、指針４の回転中心近傍に複数個配置され、枠体１０の後述する筒状部内に収納され指針４を赤色に発光させる発光体である。
【００２２】
光源９は、例えば白色光を発するチップ型発光ダイオードからなり、表示板５の背後で光源８の外周を取り巻くように複数個配置され、枠体１０の後述する第１の反射部１０２に対向配置され、計測値表示部を白色に発光させる発光体である。
【００２３】
枠体１０は、例えば白色系の合成樹脂からなり、表示板５や導光部材１１を保持する保持体としての機能、光源８，９を収納するハウジングとしての機能、光源８，９の光を前方側に反射させる反射体としての機能を有している。
【００２４】
また枠体１０は、光源８を収納し指針４の前記回転中心部に光源８の光を供給するための筒状部１０１と、この筒状部１０１を取り巻くように表示板５側に傾斜して延び光源９と対向する第１の反射部１０２と、この第１の反射部１０２と表示板５とに対向し回転軸２から遠ざかるに従って表示板５に近接する皿形状の環状壁からなる第２の反射部１０３とを有している。
【００２５】
また、第１の反射部１０２は、光源９からの光を主に外周に向けて放射状に反射する反射面を構成し、第２の反射部１０３は第１の反射部１０２を通じて外周に反射された光を表示板５及び透光部材６側に反射する反射面を構成している。
【００２６】
また、第１，第２の反射部１０２，１０３，筒状部１０１，表示板５の反射層５４によって囲まれた空間部Ｓは光源９の光を計測値表示部５１及び透光部材６に導く照明室としての機能を有しており、この照明室（空間部Ｓ）と前記照明室内に配置される光源９とで計測値表示部５１を照明する照明手段Ｌが構成される。この際、表示板５の反射層５４は、この反射層５４により光源９の光を前記照明室内に再反射させ、照明効率を高める機能を有している。
【００２７】
このような構成において、光源８が発光すると、その光によって指針４が照明され、指針４を赤色に照明する。また、光源９が発光すると、その光は前記照明室（空間部Ｓ）を通じて反射・拡散され、この光が計測値表示部５１の数字部５１ａ，目盛部５１ｂを透過することにより数字部５１ａ，目盛部５１ｂが白色に発光する。
【００２８】
そして、この際、目盛部５１ｂを透過した光は、透光部材６の凹部６４に至り、底部６５を通じて傾斜面６２側に抜けると同時に側壁部６６や側壁部６６と底部６５との境界（角部）で乱反射し、これにより、観察者からは透光部材６の奥に光源９からの光を受けて発光する目盛部５１ｂと組み合わされて立体的に発光する凹部６４が視認され、この結果、目盛部５１ｂが立体造形を有して視認される。また凹部６４内に至った光は、その周囲にも拡散され、これにより凹部６４の周囲が淡い輝度でぼんやりと発光し、斬新且つ独特な照明意匠を形成する。
【００２９】
以上のように本実施形態では、計測量に応じて動作する指針４と、この指針４に対応した数字部５１ａ，目盛部５１ｂからなる計測値表示部５１を有する表示板５と、この表示板５の前方側に配置され目盛部５１ｂを覆う透光部材６と、表示板５の背後に配置される光源９とを備えており、目盛部５１ｂは光源９の光を前方側に透過する光透過性に形成し、透光部材６に目盛部５１ｂを透過した光を受けて発光する凹部６４を設けたことにより、透光部材６の有効活用を図りながら、目盛部５１ｂの照明意匠に立体感を与えることができる。
【００３０】
また本実施形態では、凹部６４の形状を目盛部５１ｂの形状に対応させたことにより、凹部６４と目盛部５１ｂとの形状的マッチングを良好にでき、光源９の点灯、非点灯状態によらず、目盛部５１ｂの視認性、判別性を良好に維持することができる。また、例えば昼間時等、透光部材６に外光が当たった状態で光源９を点灯させると、凹部６４の発光感が失われ、目盛部５１ｂを認識しづらくなる場合があるが、本実施形態では凹部６４に対応する目盛部５１ｂが背景部５２（黒色）とは異なる色（白色）に形成されているため、極端に目盛部５１ｂのコントラストが低下することがなく、この点でも判別性を高めている。
【００３１】
なお本実施形態では、目盛部５１に対応して凹部６４を形成したが、凹部６４は数字部５１ａの対応箇所に数字部５１ａに応じた形状に設けてもよい。
【００３２】
また透光部材６の形状は、円弧状やリング状に限らず、計測値表示部５１を覆うよう配置されるものであれば、その形状は任意である。
【００３３】
図４は、本発明の第２実施形態を示す凹部の拡大断面図であり、本実施形態では凹部６４の底部６５にシボ加工部からなる拡散処理部６７を設けたものである。このように構成することで、底部６５を通じて前方側に進む光を拡散し、目盛部５１ｂと対向する底部６５を略均一に面発光させることができ、これにより目盛部５１ｂの視認性、判別性を良好にすることができる。
【００３４】
なお本実施形態では、シボ加工部からなる拡散処理部６７を設けたが、拡散処理部６７は拡散作用を持つものであれば、印刷や塗装からなる拡散層であってもよい。
【００３５】
【発明の効果】
以上、本発明によれば、初期の目的を達成することができ、透光部材を有効活用し、計測値表示部の照明意匠に立体感を持たせることが可能な指針式計器を提供することができる。
【図面の簡単な説明】
【図１】本発明の第１実施形態によるメータ装置の正面図。
【図２】図１のＡ−Ａ断面図。
【図３】図１のＢ−Ｂ断面図。
【図４】本発明の第２実施形態による凹部の拡大断面図。
【符号の説明】
１　　回路基板
２　　回転軸
３　　駆動装置
４　　指針
５　　表示板
６　　透光部材
７　　見返し板７
８，９　　光源
１０　　枠体
５１　　計測値表示部
５１ａ　　数字部
５１ｂ　　目盛部
５２　　背景部
５３　　基材
５４　　反射層
６１　　基部
６２　　露出部
６３　　傾斜面
６４　　凹部
６５　　底部
６６　　側壁部
６７　　拡散処理部
１０１　　筒状部
１０２　　第１の反射部
１０３　　第２の反射部
Ｌ　　照明手段
Ｓ　　空間部
【図１】
2004061326.tif 000003
【図２】
2004061326.tif 000004
【図３】
2004061326.tif 000005
【図４】
2004061326.tif 000006